(57)【要約】【課題】  部品点数を削減すると共に、構造が簡易で組立工数が削減できる電気部品用ソケット及びそれを用いた電気部品とケーブルの接続構造を提供する。【解決手段】  電気部品１０が装着される電気部品装着部２と、電気部品装着部２に設けられ、装着された電気部品１０を位置決めする電気部品位置決め部２ｄと、ケーブル１１が装着されるケーブル装着部３と、ケーブル装着部３に設けられ、装着されたケーブル１１を位置決めするケーブル位置決め部３ｂと、電気部品１０の接点部１０ａとケーブル１１の接点部１１ａとを接触させるための弾性片４ａからなる押圧部４とを備え、電気部品装着部２とケーブル装着部３及び押圧部４とを同一金属材で一体に形成した。【選択図】        図５
2006019139.tif 000002
【特許請求の範囲】
【請求項１】
電気部品が装着される電気部品装着部と、この電気部品装着部に設けられ、装着された電気部品を位置決めする電気部品位置決め部と、ケーブルが装着されるケーブル装着部と、このケーブル装着部に設けられ、装着されたケーブルを位置決めするケーブル位置決め部と、装着された電気部品の接点部とケーブルの接点部とを接触させるための弾性片からなる押圧部とを備え、前記電気部品装着部と前記ケーブル装着部及び前記押圧部とを同一金属材で一体に形成したことを特徴とする電気部品用ソケット。
【請求項２】
前記押圧部を、前記ケーブルの複数の接点部に対応して複数形成すると共に、この複数の押圧部で前記ケーブルの複数の接点部を押圧するようにしたことを特徴とする請求項１記載の電気部品用ソケット。
【請求項３】
前記電気部品装着部は、上方が開口された装着口を有し、この装着口の下方に前記押圧部が配設され、前記装着口と前記押圧部との中間で前記電気部品装着部の側方に前記ケーブル装着部の挿入口が形成されていることを特徴とする請求項１、又は２記載の電気部品用ソケット。
【請求項４】
前記電気部品位置決め部は、前記電気部品装着部の側方上端側に設けられた孔あるいは突起で形成され、前記孔あるいは突起に電気部品に設けられた係止部を係合させることにより電気部品の上方向の位置決めを行なうようにしたことを特徴とする請求項３記載の電気部品用ソケット。
【請求項５】
前記ケーブル位置決め部は、前記ケーブル装着部の挿入口上端側あるいは下端側に設けられた突起で形成され、前記突起にケーブルに設けられた係止孔を係合させることによりケーブルの前後方向の位置決めを行なうようにしたことを特徴とする請求項３記載の電気部品用ソケット。
【請求項６】
前記電気部品装着部の側方には、外方へ延出する接地部を形成したことを特徴とする請求項３記載の電気部品用ソケット。
【請求項７】
請求項１乃至６の何れかに記載の電気部品用ソケットの前記ケーブル装着部に、複数の接点部を有するケーブルを装着して位置決めし、電気部品の複数の接点部を前記ケーブルの複数の接点部と対向させて電気部品を前記電気部品装着部に装着して位置決めすることにより、前記ケーブルの接点部が形成された面とは反対側の面が、下方に配設された前記押圧部の弾性力によって押圧され、前記ケーブルの接点部と前記電気部品の接点部とが弾接して接続するようにしたことを特徴とする電気部品とケーブルの接続構造。
【発明の詳細な説明】
【技術分野】
【０００１】
本発明は、ＩＣモジュール等の電気部品の接点部とフレキシブルフラットケーブル等のケーブルの接点部を接触させて接続する電気部品用ソケット及びそれを用いた電気部品とケーブルの接続構造に関する。
【背景技術】
【０００２】
従来の電気部品用ソケット等の接続用コネクタの構造としては、電気部品であるＩＣパッケージのリード部を、フレキシブルケーブルの接点部と対向させて、上下からクランプ部材で挟み込んで圧接して接続させる構造のものが知られている（例えば、特許文献１参照）。
【０００３】
以下、従来の接続用コネクタの構造を図に基づいて説明する。
図１１は従来の接続用コネクタの平面図、図１２は従来の接続用コネクタの分解斜視図である。
【０００４】
図において、コネクタ２０Ｂは、ＱＦＰ型の半導体パッケージ６０用のものである。コネクタ２０Ｂは、受座部材７０と、クランプ部材８０とを有する、受座部材７０は、大略、正方形状の板状体であり、中央に、パッケージ支持本体部７１を有し、四辺に沿って、受座部材７２、７３、７４、７５を有し、コーナ部に孔７６付きの受部７７を有する。
【０００５】
パッケージ本体支持部７１は、中央に取付用孔７１−１を有し、各コーナ部に、Ｌ字状の位置決め用リブ７１−２を有する。クランプ部材８０は、大略、四角枠状であり、各コーナ部に取付用孔８１を有する。半導体パッケージ６０は、パッケージ本体６１と、これより四方に延出しているリード６２とよりなる。
【０００６】
受座部材７０は、例えばシャ−シ上にねじ止め固定される。受座部材７０上に、フレキシブルケーブル３０を載置し、半導体パッケージ６０を載置し、クランプ部材８０を受座部材７０にねじ止めすることによって、図１１に示すように半導体パッケージ６０の各辺のリード６２がフレキシブルケーブル３０と重なって圧接されて直接的に電気的に接続される。
【０００７】
クランプ部材８０は、各コーナ部の切欠部が受部と嵌合することによって受座部材７０に対して位置決めされる。
【０００８】
【特許文献１】特開平８−１９５２５９号公報
【発明の開示】
【発明が解決しようとする課題】
【０００９】
しかしながら、上述した従来の接続用コネクタの構造においては、電気部品であるＩＣパッケージとフレキシブルケーブルを上下から挟み込む構造のためにクランプ部材を２部品で構成すると共に、この２部品をねじ止めしていたため、部品点数が増加し、組立工数も増加してしまうという問題があった。
【００１０】
したがって、本発明では上述した問題点を解決し、部品点数を削減すると共に、構造が簡易で組立工数が削減できる電気部品用ソケット及びそれを用いた電気部品とケーブルの接続構造を提供することを目的とする。
【課題を解決するための手段】
【００１１】
上記課題を解決するために本発明では第１の解決手段として、電気部品が装着される電気部品装着部と、この電気部品装着部に設けられ、装着された電気部品を位置決めする電気部品位置決め部と、ケーブルが装着されるケーブル装着部と、このケーブル装着部に設けられ、装着されたケーブルを位置決めするケーブル位置決め部と、電気部品の接点部とケーブルの接点部とを接触させるための弾性片からなる押圧部とを備え、前記電気部品装着部と前記ケーブル装着部及び前記押圧部とを同一金属材で一体に形成した構成とした。
【００１２】
また、第２の解決手段として、前記押圧部を、前記ケーブルの複数の接点部に対応して複数形成すると共に、この複数の押圧部で前記ケーブルの複数の接点部を押圧するようにした構成とした。
また、第３の解決手段として、前記電気部品装着部は、上方が開口された装着口を有し、この装着口の下方に前記押圧部が配設され、前記装着口と前記押圧部との中間で前記電気部品装着部の側方に前記ケーブル装着部の挿入口が形成されている構成とした。
また、第４の解決手段として、前記電気部品位置決め部は、前記電気部品装着部の側方上端側に設けられた孔あるいは突起で形成され、前記孔あるいは突起に電気部品に設けられた係止部を係合させることにより電気部品の上方向の位置決めを行なうようにした構成とした。
【００１３】
また、第５の解決手段として、前記ケーブル位置決め部は、前記ケーブル装着部の挿入口上端側あるいは下端側に設けられた突起で形成され、前記突起にケーブルに設けられた係止孔を係合させることによりケーブルの前後方向の位置決めを行なうようにした構成とした。
また、第６の解決手段として、前記電気部品装着部の側方には、外方へ延出する接地部を形成した構成とした。
また、第７の解決手段として、第１乃至第６の解決手段の何れかに記載の電気部品用ソケットの前記ケーブル装着部に、複数の接点部を有するケーブルを装着して位置決めし、電気部品の複数の接点部を前記ケーブルの複数の接点部と対向させて電気部品を前記電気部品装着部に装着して位置決めすることにより、前記ケーブルの接点部が形成された面とは反対側の面が、下方に配設された前記押圧部の弾性力によって押圧され、前記ケーブルの接点部と前記電気部品の接点部とが弾接して接続するようにした構成とした。
【発明の効果】
【００１４】
上述したように、本発明の電気部品用ソケットは、電気部品が装着される電気部品装着部と、電気部品装着部に設けられ、装着された電気部品を位置決めする電気部品位置決め部と、ケーブルが装着されるケーブル装着部と、ケーブル装着部に設けられ、装着されたケーブルを位置決めするケーブル位置決め部と、電気部品の接点部とケーブルの接点部とを接触させるための弾性片からなる押圧部とを備え、電気部品装着部とケーブル装着部及び押圧部とを同一金属材で一体に形成したことから、電気部品の装着部とケーブルの装着部、及びそれぞれの接点部同士を接触させる押圧部を一部品で形成するようにしたので、部品点数が削減でき、構造が簡単になると共に、組立工数も削減できる。
【００１５】
また、押圧部を、ケーブルの複数の接点部に対応して複数形成すると共に、複数の押圧部でケーブルの複数の接点部を押圧するようにしたことから、複数の接点部を複数の押圧部でそれぞれ押圧するようにしたので、確実にケーブルの接点部と電気部品の接点部とを接触させることができ、高い接続信頼性が得られる。
また、電気部品装着部は、上方が開口された装着口を有し、装着口の下方に押圧部が配設され、装着口と押圧部との中間で電気部品装着部の側方にケーブル装着部の挿入口が形成されていることから、簡単な構造で、ケーブルと電気部品とを確実に重ねて装着することができる。
また、電気部品位置決め部は、電気部品装着部の側方上端側に設けられた孔あるいは突起で形成され、孔あるいは突起に電気部品に設けられた係止部を係合させることにより電気部品の上方向の位置決めを行なうようにしたことから、簡単な構造で、電気部品を電気部品装着部に確実に位置決めすることができる。
【００１６】
また、ケーブル位置決め部は、ケーブル装着部の挿入口上端側あるいは下端側に設けられた突起で形成され、突起にケーブルに設けられた係止孔を係合させることによりケーブルの前後方向の位置決めを行なうようにしたことから、簡単な構造で、ケーブルをケーブル装着部に確実に位置決めすることができる。
また、電気部品装着部の側方には、外方へ延出する接地部を形成したことから、電気部品に悪影響を及ぼす外部ノイズ（静電ノイズや輻射ノイズ等）を電気部品装着部を通して接地できるので、外部ノイズによる電気部品のＩＣ等への悪影響を防止できる。
また、第１乃至第６の解決手段の何れかに記載の電気部品用ソケットのケーブル装着部に、複数の接点部を有するケーブルを装着して位置決めし、電気部品の複数の接点部をケーブルの複数の接点部と対向させて電気部品を電気部品装着部に装着して位置決めすることにより、ケーブルの接点部が形成された面とは反対側の面が、下方に配設された押圧部の弾性力によって押圧され、ケーブルの接点部と電気部品の接点部とが弾接して接続するようにしたことから、金属材からなり弾性を有する押圧部を有する電気部品装着部及びケーブル装着部に、ケーブルと電気部品を装着するだけの簡単な構造で、ケーブルの接点部と電気部品の接点部とを圧接させて確実に重ねて接続することができる。
【発明を実施するための最良の形態】
【００１７】
以下、本発明の電気部品用ソケット及び電気部品とケーブルの接続構造の実施形態を図１乃至図１０に示す。図１は本発明の電気部品用ソケットの斜視図、図２は本発明の電気部品用ソケットの底面図、図３は本発明の電気部品用ソケットを用いた電気部品とケーブルの接続構造を示す斜視図、図４は本発明の電気部品用ソケットを用いた電気部品とケーブルの接続構造を底面側から見た斜視図、図５は本発明の電気部品用ソケットを用いた電気部品とケーブルの接続構造を示す分解斜視図、図６は本発明の電気部品用ソケットを用いた電気部品とケーブルの接続構造を底面側から見た分解斜視図、図７は本発明の電気部品用ソケットの他の実施例を示す斜視図、図８は本発明の電気部品用ソケットの更に他の実施例を示す斜視図、図９は図８に示す本発明の電気部品用ソケットを回路基板に実装した状態を示す説明図、図１０は本発明の電気部品用ソケットのまた更に他の実施例を示す斜視図である。
【００１８】
図１及び図２において、電気部品用ソケット１は、同一の１枚の金属板を打ち抜き折り曲げることにより、上方が開口された箱状に形成されている。この電気部品用ソケット１には、電気部品１０が装着される電気部品装着部２と、ケーブル１１が装着されるケーブル装着部３と、装着された電気部品１０の接点部１０ａとケーブル１１の接点部１１ａとを接触させるための弾性片からなる押圧部４とを有している。
【００１９】
電気部品装着部２は、上方が開口された装着口２ａを有し、この装着口２ａの下方には平板状の底板部２ｂが設けられている。また、底板部２ｂを囲むように底板部２ｂからは４個の側板２ｃが立設されて箱型に形成されている。また、４個の側板２ｃの上端側中央には、横長状の孔２ｄが設けられており、この孔２ｄが、電気部品１０に設けられた突起部１０ｂと係合して、電気部品１０の上方向の位置決めを行なう電気部品位置決め部となっている。
【００２０】
また、一方の対向する一対の側板２ｃ、２ｃの下方で前記底板部２ｂとの間には、開口された挿入口３ａが設けられており、この一対の挿入口３ａと底板部２ｂの間がケーブル装着部３となっている。また、ケーブル装着部３の挿入口３ａの上端側には、前記側板２ｃから下方へ突出された突起３ｂが形成されており、この突起３ｂが、ケーブル１１に設けられた係止孔１１ｂと係合して、ケーブル１１の前後方向の位置決めを行なうケーブル位置決め部となっている。
【００２１】
このように、横長状の前記孔２ｄに電気部品１０に設けられた突起部１０ｂを係合させることにより電気部品１０の上方向の位置決めを行なうようにし、また、前記突起３ｂにケーブル１１に設けられた係止孔１１ｂを係合させることによりケーブル１１の前後方向の位置決めを行なうようにしたことから、簡単な構造で、電気部品１０及びケーブル１１を、前記電気部品装着部２及びケーブル装着部３に確実に位置決めすることができるものとなる。
【００２２】
また、前記電気部品装着部２の前記底板部２ｂには、押圧部４が設けられている。この押圧部４は、底板部２ｂ中央からそれぞれ対向するように前記ケーブル装着部３の挿入口３ａ方向に向かって延出され、その自由端側が上方へ屈曲された複数の弾性片４ａから形成されており、前記底板部２ｂに一体に形成されている。この場合、前記弾性片４ａは、ケーブル１１の複数の接点部１１ａに対応して複数形成されており、この複数の弾性片４ａでケーブル１１の複数の接点部１１ａをそれぞれ押圧するようになっている。
【００２３】
また、前記電気部品装着部２の装着口２ａと前記押圧部４との中間で、前記電気部品装着部２の側板２ｃの下方に、前記ケーブル装着部３の挿入口３ａが形成されており、前記挿入口３ａから挿入されたケーブル１１の接点部１１ａが形成された面とは反対側の面が、前記弾性片４ａによって押圧されることにより、前記ケーブル１１の接点部１１ａと、前記装着口２ａに装着された電気部品１０の接点部１０ａとが弾接して接続するようになっている。
【００２４】
このように、前記電気部品装着部２は、上方が開口された前記装着口２ａを有し、前記装着口２ａの下方に前記押圧部４が配設され、前記装着口２ａと前記押圧部４との中間で前記電気部品装着部２の側方に前記ケーブル装着部３の挿入口３ａが形成されていることから、簡単な構造で、ケーブル１１と電気部品１０とを確実に重ねて装着することができるものとなっている。
【００２５】
図３乃至図６は、上記構成の電気部品用ソケット１に、電気部品１０とケーブル１１を装着して、互いを接続させる接続構造を示している。
【００２６】
この場合、電気部品１０は、内部にＩＣなどの集積回路が内蔵されたＩＣモジュールで、上面にレンズ体１０ｃを有している。また、外側面の上面側に突起部１０ｂを有しており、底面には、２列状に対向した複数の接点部１０ａが設けられている。また、ケーブル１１は、フレキシブルプリントサーキット（ＦＰＣ）やフレキシブルフラットケーブル（ＦＦＣ）等のフレキシブルなシート状基板で、一面（表面）には２列状に対向した複数の接点部１１ａが形成されている。また、内側に形成された接点部１１ａの近傍には、上下に貫通した係止孔１１ｂが形成されている。
【００２７】
上記構成の電気部品用ソケット１に、前記電気部品１０と前記ケーブル１１を装着する場合には、まず、前記電気部品用ソケット１の、対向する一対の前記側板２ｃ、２ｃの下方で前記底板部２ｂとの間に設けられた前記挿入口３ａから、前記ケーブル１１の先端側を挿入して、この一対の挿入口３ａと底板部２ｂの間に形成された前記ケーブル装着部３に前記ケーブル１１を装着する。この時、前記ケーブル１１は、前記係止孔１１ｂが、前記挿入口３ａの上端側で前記側板２ｃから下方へ突出して形成された前記突起３ｂと係合して、前後方向の位置決めが行なわれ、前記ケーブル装着部３に位置決めされるものとなる。
【００２８】
次に、前記電気部品用ソケット１の、電気部品装着部２の前記装着口２ａから、前記電気部品１０を挿入して、前記底板部２ｂを囲むように箱状に立設された４個の前記側板２ｃ内に形成された前記電気部品装着部２に前記電気部品１０を装着する。この時、前記電気部品１０は、前記突起部１０ｂが、前記側板２ｃの上端側中央に設けられた、横長状の前記孔２ｄと係合して、上方向の位置決めが行なわれ、前記電気部品装着部２に位置決めされるものとなる。
【００２９】
また、この時、前記電気部品装着部２の前記底板部２ｂには、前記押圧部４が設けられており、前記押圧部４の複数の前記弾性片４ａが、前記底板部２ｂ中央からそれぞれ対向するように前記ケーブル装着部３の挿入口３ａ方向に向かって延出され、その自由端側が上方へ屈曲されていることから、前記ケーブル装着部３に装着された、前記ケーブル１１の接点部１１ａが形成された面とは反対側の面が、前記弾性片４ａによって上方へ押圧されることとなり、前記ケーブル１１の接点部１１ａと、前記電気部品装着部２に装着された、前記電気部品１０の接点部１０ａとが弾接して接続するものとなる。
【００３０】
また、この場合、前記弾性片４ａは、前記ケーブル１１の複数の接点部１１ａに対応して複数形成されており、この複数の弾性片４ａが、前記ケーブル１１の複数の接点部１１ａとそれぞれ個々に弾接するようになっていることから、複数の前記接点部１１ａを複数の前記弾性片４ａでそれぞれ押圧するようにしたので、確実に前記ケーブル１１の接点部１１ａと前記電気部品１０の接点部１０ａとを接触させることができ、高い接続信頼性が得られるものとなっている。
【００３１】
このように、前記電気部品用ソケット１の前記ケーブル装着部３に、複数の接点部１１ａを有する前記ケーブル１１を装着して位置決めし、前記電気部品１０の複数の接点部１０ａを前記ケーブル１１の複数の接点部１１ａと対向させて、前記電気部品１０を前記電気部品装着部２に装着して位置決めすることにより、前記ケーブル１１の接点部１１ａが形成された面とは反対側の面が、下方に配設された前記押圧部の弾性力によって押圧され、前記ケーブル１１の接点部１１ａと、前記電気部品１０の接点部１０ａとが弾接して接続するようにしたことから、前記電気部品装着部２、及び前記ケーブル装着部３に、前記ケーブル１１と前記電気部品１０を装着するだけの簡単な構造で、前記ケーブル１１の接点部１１ａと、前記電気部品１０の接点部１０ａとを圧接させて確実に重ねて接続することができるものとなっている。
【００３２】
図７は、本発明の電気部品用ソケット１の他の実施例を示す。
本実施例と、図１及び図２に示した電気部品用ソケット１との相違点は、電気部品装着部２の側板２ｃに形成した電気部品位置決め部の構成が一部異なる点である。すなわち、本実施例においては、電気部品位置決め部は、側板２ｃの上端側中央に設けられた、横長状の切り起こし片からなる突起２ｅで形成されている。
【００３３】
この場合、前記電気部品１０には、外側面の上面側に突起部１０ｂを設ける必要がなく、前記電気部品１０は、外側面の上縁部が、前記側板２ｃの上端側中央に設けられた、横長状の前記突起２ｅと係合して、上方向の位置決めが行なわれ、電気部品装着部２に位置決めされるものとなっている。
尚、本実施例では、前記突起２ｅを、対向する一方の側板２ｃ、２ｃのみに形成するようにしてあるが、対向する両方の側板２ｃ全部（４個）に設けるようにしても良い。
【００３４】
図８は、本発明の電気部品用ソケット１の更に他の実施例を示す。
本実施例と、図１及び図２に示した電気部品用ソケット１との相違点は、対向する一方の側板２ｃ、２ｃに、外方へ延出する一対の突出片からなる接地部２ｆを設けた点である。すなわち、本実施例においては、電気部品装着部２の側方の、対向する一方の側板２ｃの一端側に、切り曲げ部を形成して、外方へ突出する半田付け可能な接地片２ｆが形成されている。
【００３５】
そして、この接地片２ｆが形成された電気部品用ソケット１を、図９に示すように、電子機器等の回路基板１２のアースパターン１２ａに半田付けして接地できるようになっている。このように、電気部品装着部２の側方に、外方へ延出する前記接地部２ｆを形成することにより、電気部品１０に悪影響を及ぼす外部ノイズ（静電ノイズや輻射ノイズ等）を電気部品装着部２を通して回路基板１２のアースパターン１２ａに接地できるので、外部ノイズによる電気部品１０のＩＣ等への悪影響を防止できるものとなっている。
【００３６】
尚、本実施例では、前記接地部２ｆを、半田付け可能な突出片で形成したが、この突出片に丸孔を設けて、回路基板１２のアースパターン１２ａにねじ止めして接地するようにしても良い。また、電気部品装着部２の側方に突出片を設ける代わりに、底面側に図示しない突出部を形成して、この突出部を回路基板１２のアースパターンに接続して接地するようにしても良い。この場合にも上記と同様の効果が得られるのは勿論である。
【００３７】
図１０は、本発明の電気部品用ソケット１のまた更に他の実施例を示す。
本実施例と、図１及び図２に示した電気部品用ソケットとの相違点は、底板部２ｂに一体に設けられている押圧部４の構成が一部異なる点である。すなわち、本実施例においては、押圧部４は、底板部２ｂの対向する一方の両端部から底板部２ｂの中央に向かって延出され、弾性片４ａの自由端側が互いに向き合うように形成されている。
【００３８】
また、他の相違点は、一対の側板２ｃ、２ｃの下方に設けられている挿入口３ａの構成が一部異なる点である。すなわち、本実施例においては、挿入口３ａは、側板２ｃの下方で下端側が底板部２ｂから少し間を設けて形成されおり、挿入口３ａの下端側には、側板２ｃから上方へ突出した突起３ｂが形成されている。更に他の相違点は、図８の実施例と同様に、対向する一方の側板２ｃ、２ｃに、外方へ延出する一対の突出片からなる接地部２ｆを設けた点である。
【００３９】
このように、底板部２ｂの両端部から底板部２ｂ中央に向かって押圧部４を延出させることにより、底板部２ｂの中央に集中していた荷重を、底板部２ｂの両端部及び底板部２ｂの両端部に連接する側板２ｃに分散することができ、電気部品１０を装着した時に、底板部２ｂの中央の変形を少なくすることができる。また、押圧部４を、底板部２ｂの両端部から延出して設けたことにより、ケーブル１１を挿入口３ａから挿入する際に、押圧部４の弾性片４ａの自由端の下方にケーブル１１が潜り込むことがないものとなっている。
【００４０】
さらに、挿入口３ａの下端側を底板部２ｂから間を設けて形成すると共に、挿入口３ａの下端側から突起３ｂを形成することにより、ケーブル１１を挿入口３ａに挿入する際、ケーブル１１が押圧部４と接触することが少なくなり、容易に挿入することができるものとなっている。
【００４１】
上記した本発明の実施例によれば、前記電気部品１０が装着される前記電気部品装着部２と、前記電気部品装着部２に設けられ、装着された前記電気部品１０を位置決めする横長状の前記孔２ｄからなる電気部品位置決め部と、前記ケーブル１１が装着される前記ケーブル装着部３と、前記ケーブル装着部３に設けられ、装着された前記ケーブル１１を位置決めする前記突起３ｂからなるケーブル位置決め部と、前記電気部品１０の接点部１０ａと前記ケーブル１１の接点部１１ａとを接触させるための前記弾性片４ａからなる前記押圧部４とを備え、前記電気部品装着部２と前記ケーブル装着部３及び前記押圧部４とを同一金属材で一体に形成したことから、前記電気部品１０の装着部２と前記ケーブル１１の装着部３、及びそれぞれの接点部１０ａ、１１ａ同士を接触させる前記押圧部４を一部品で形成するようにしたので、部品点数が削減でき、構造が簡単になると共に、組立工数も削減できるものとなっている。
【図面の簡単な説明】
【００４２】
【図１】本発明の電気部品用ソケットを示す斜視図である。
【図２】本発明の電気部品用ソケットを示す底面図である。
【図３】本発明の電気部品用ソケットを用いた電気部品とケーブルの接続構造を示す斜視図である。
【図４】本発明の電気部品用ソケットを用いた電気部品とケーブルの接続構造を底面側から見た斜視図である。
【図５】本発明の電気部品用ソケットを用いた電気部品とケーブルの接続構造を示す分解斜視図である。
【図６】本発明の電気部品用ソケットを用いた電気部品とケーブルの接続構造を底面側から見た分解斜視図である。
【図７】本発明の電気部品用ソケットの他の実施例を示す斜視図である。
【図８】本発明の電気部品用ソケットの更に他の実施例を示す斜視図である。
【図９】本発明の図８に示す電気部品用ソケットを回路基板に実装した状態を示す説明図である。
【図１０】本発明の電気部品用ソケットのまた更に他の実施例を示す斜視図である。
【図１１】従来の接続用コネクタを示す平面図である。
【図１２】従来の接続用コネクタを示す分解斜視図である。
【符号の説明】
【００４３】
１：電気部品用ソケット
２：電気部品装着部
２ａ：装着口
２ｂ：底板部
２ｃ：側板
２ｄ：孔（電気部品位置決め部）
２ｅ：突起（電気部品位置決め部）
２ｆ：接地片
３：ケーブル装着部
３ａ：挿入口
３ｂ：突起（ケーブル位置決め部）
４：押圧部
４ａ：弾性片
１０：電気部品
１０ａ：接点部
１０ｂ：突起部
１０ｃ：レンズ体
１１：ケーブル
１１ａ：接点部
１１ｂ：係止孔
１２：回路基板
１２ａ：アースパターン
【図１】
2006019139.tif 000003
【図２】
2006019139.tif 000004
【図３】
2006019139.tif 000005
【図４】
2006019139.tif 000006
【図５】
2006019139.tif 000007
【図６】
2006019139.tif 000008
【図７】
2006019139.tif 000009
【図８】
2006019139.tif 000010
【図９】
2006019139.tif 000011
【図１０】
2006019139.tif 000012
【図１１】
2006019139.tif 000013
【図１２】
2006019139.tif 000014